(57)【要約】【課題】電源共通インピーダンスによるノイズを低減するデジタル増幅装置を提供する。【解決手段】電源部１から出力された電源は、第１レギュレータ２ａ及び第２レギュレータ２ｂを介して、夫々第１Ｄ級増幅器３ａ及び第２Ｄ級増幅器３ｂに与えられる。第１レギュレータ２ａ及び第２レギュレータ２ｂは、電源部１と、第１Ｄ級増幅器３ａ及び第２Ｄ級増幅器３ｂ夫々との間に形成された電源共通インピーダンス中に介挿されており、電源共通インピーダンスを分離する。第１Ｄ級増幅器３ａ及び第２Ｄ級増幅器３ｂは、第１入力端子及び第２入力端子から夫々与えられたオーディオ信号から変調されて得た変調信号により、電源部１から与えられる電源をスイッチング制御して増幅し、第１出力端子及び第２出力端子に与えてオーディオパワー信号として出力する。【選択図】図１
2009206763.tif 000002
【特許請求の範囲】
【請求項１】
入力された複数のオーディオ信号を増幅して出力する複数のＤ級増幅器と、該複数のＤ級増幅器に電源を与える電源部とを備え、前記電源を与えられた前記複数のＤ級増幅器で複数のオーディオ信号を増幅するデジタル増幅装置において、
前記電源部の出力端及び複数のＤ級増幅器の電源入力端夫々の間に形成される電源共通インピーダンス中に介挿されたレギュレータを備えること
を特徴とするデジタル増幅装置。
【請求項２】
前記レギュレータの出力端に前記複数のＤ級増幅器と並列接続された負荷部を
さらに備えることを特徴とする請求項１に記載のデジタル増幅装置。
【請求項３】
前記レギュレータは、
前記複数のＤ級増幅器と１対１の関係で複数備えること
を特徴とする請求項１又は請求項２に記載のデジタル増幅装置。
【請求項４】
前記複数のＤ級増幅器に設定される入力レベルを調整する入力調整部をさらに備え、
前記レギュレータは、
複数の位相補償回路と、
前記入力調整部が調整した入力レベルに基づいて前記複数の位相補償回路のうち、一つの位相補償回路を選択する選択部と
を備えることを特徴とする請求項１から請求項３までのいずれか一項に記載のデジタル増幅装置。
【発明の詳細な説明】
【技術分野】
【０００１】
本発明は、電源部及び複数の増幅器夫々との間の電源共通インピーダンスによるノイズを低減するデジタル増幅装置に関する。      
【背景技術】
【０００２】
近年、オーディオ信号の出力を増幅する増幅装置として、電力効率が良いために発熱が少なく、小型化及び軽量化に優れたデジタル増幅装置が使われるようになってきている。デジタル増幅装置に用いられるＤ級増幅器は、入力されたオーディオ信号で電源を直接スイッチングして増幅し、オーディオパワー信号として出力する。オーディオ信号に急激な振幅変動が生じた場合、Ｄ級増幅器に供給する電源を制御してオーディオパワー信号の歪みを抑えるデジタル増幅装置が知られている。例えば、特許文献１に記載のデジタル増幅装置においては、入力されたオーディオ信号の振幅の変化と同期してＤ級増幅器に供給される電源の電源供給量を調整することにより、オーディオパワー信号に生じる歪みを抑制する方法が用いられている。
【０００３】
図８は、従来技術におけるデジタル増幅装置の内部構成の例を示すブロック図である。一般にスピーカ及びヘッドフォン等で再生されるオーディオ信号は、例えば右チャンネル及び左チャンネル等を含む２チャンネル以上の複数チャンネルを有しているため、夫々のチャンネル毎に増幅すべく複数のＤ級増幅器がデジタル増幅装置には設けられている。複数のＤ級増幅器が互いの回路電流に共通する電源経路を介して一つの電源と接続される場合、係る電源経路は電源共通インピーダンスと呼ばれる。図８に示す例では、２チャンネルを有するオーディオ信号に対応して夫々のチャンネルのオーディオ信号が入力される第１入力端子及び第２入力端子を備えている。
【０００４】
電源部１１から出力される電源は、電源線Ｌ１１を介して第１Ｄ級増幅器１２ａ及び第２Ｄ級増幅器１２ｂに与えられる。第１入力端子及び第２入力端子に夫々入力されたオーディオ信号は、第１Ｄ級増幅器１２ａ及び第２Ｄ級増幅器１２ｂに与えられて変調される。第１Ｄ級増幅器１２ａ及び第２Ｄ級増幅器１２ｂは、夫々がオーディオ信号を変調して得た変調信号に基づいて電源部１１から与えられる電源をスイッチング制御することで、オーディオ信号を増幅し、オーディオパワー信号として第１出力端子及び第２出力端子に夫々出力する。電源線Ｌ１１は、第１Ｄ級増幅器１２ａ及び第２Ｄ級増幅器１２ｂが電源線の接地線（図示せず）を共有する電源共通インピーダンスとなっている。
【０００５】
この状態で、例えば第１Ｄ級増幅器１２ａに入力されたオーディオ信号に急激な振幅変動が生じた場合、又は外部から設定される第１Ｄ級増幅器１２ａの入力レベルが大きく変化した場合、第１Ｄ級増幅器１２ａを流れる回路電流が大きく変動するに伴い電源線Ｌ１１から接地線へ流れる電流が変化し、その結果、電源線Ｌ１１の電位が変動する。電源線Ｌ１１の電位の変動は、第２Ｄ級増幅器１２ｂを流れる回路電流に干渉するノイズとなり、第２Ｄ級増幅器１２ｂにより増幅されて歪みが生じたオーディオパワー信号が第２出力端子に出力される。デジタル増幅装置は、Ｄ級増幅器により、オーディオ信号から変換された変調信号で電源をスイッチング制御してオーディオパワー信号を出力するため、電源から供給されてＤ級増幅器を流れる回路電流の大部分をオーディオパワー信号による電流が占める。従って、デジタル増幅装置が出力するオーディオパワー信号において、電源共通インピーダンスによるノイズが与える影響は大きなものとなる。
【０００６】
図９及び図１０は、夫々オーディオ信号及び従来技術におけるオーディオパワー信号の周波数特性の例を示すグラフである。図１０に示すオーディオパワー信号は、図９に示された周波数１０Ｈｚから周波数１００ｋＨｚまでの周波数特性を有するオーディオ信号を第１Ｄ級増幅器１２ａ及び第２Ｄ級増幅器１２ｂに夫々入力した場合、第１Ｄ級増幅器１２ａから出力されるオーディオパワー信号の周波数１０Ｈｚから周波数１００ｋＨｚまでの周波数特性の測定結果を示している。図９に示すオーディオ信号の周波数１０ｋＨｚ付近の領域９ａと対応しており、図１０に示すオーディオパワー信号の領域１０ａには、電源共通インピーダンスによる混調ノイズが周波数１０ｋＨｚを中心とした正規分布状に分布しており、オーディオパワー信号に歪みが生じている。
【特許文献１】特開２００６−１０９１３３号公報
【発明の開示】
【発明が解決しようとする課題】
【０００７】
しかしながら、特許文献１に記載のデジタル増幅装置で用いられる方法は、前述の電源共通インピーダンスによるノイズがオーディオパワー信号に生じさせる歪みを抑制することが出来ないという問題があった。
【０００８】
本発明は斯かる事情に鑑みてなされたものであり、電源部の出力端及び複数のＤ級増幅器夫々の電源入力端の間に形成される電源共通インピーダンス中にレギュレータを介挿することにより、電源部及び複数のＤ級増幅器夫々の間の電源共通インピーダンスを分離して電源共通インピーダンスによるノイズを低減し、オーディオパワー信号に生じる歪みを抑制することが可能となるデジタル増幅装置を提供することを目的とする。
【課題を解決するための手段】
【０００９】
本発明に係るデジタル増幅装置は、入力された複数のオーディオ信号を増幅して出力する複数のＤ級増幅器と、該複数のＤ級増幅器に電源を与える電源部とを備え、前記電源を与えられた前記複数のＤ級増幅器で複数のオーディオ信号を増幅するデジタル増幅装置において、前記電源部の出力端及び複数のＤ級増幅器の電源入力端夫々の間に形成される電源共通インピーダンス中に介挿されたレギュレータを備えることを特徴とする。
【００１０】
本発明にあっては、複数チャンネルのオーディオ信号がデジタル増幅装置に入力され、夫々のチャンネルのオーディオ信号が複数のＤ級増幅器に各入力される。複数のＤ級増幅器夫々は、オーディオ信号を変調して変調信号を得ると共に、電源部からレギュレータを介して与えられた電源を変調信号によりスイッチングしてオーディオ信号を増幅する。電源部と複数のＤ級増幅器夫々との間を結んでおり、複数のＤ級増幅器が共有する給電線に形成された電源共通インピーダンス中に介挿されたレギュレータは、レギュレータを構成する負帰還増幅回路が有する高い入出力インピーダンスにより、電源共通インピーダンスを分離して電源共通インピーダンスによるノイズを低減する。
【００１１】
本発明に係るデジタル増幅装置は、前記レギュレータの出力端に前記複数のＤ級増幅器と並列接続された負荷部をさらに備えることを特徴とする。
【００１２】
本発明にあっては、レギュレータの出力端に接続された複数のＤ級増幅器及び複数のＤ級増幅器と並列接続された負荷部とを夫々流れる電流の合計がレギュレータから出力される。レギュレータは、電源部から与えられた電源を負帰還増幅回路により定電圧化して複数のＤ級増幅器及び負荷部に与える。複数のＤ級増幅器を流れる回路電流が少ない場合であっても、負荷部を常に流れる一定以上の電流により、レギュレータを構成する負帰還回路の出力側には一定以上の負荷がかかることで安定した定電圧動作に必要な負帰還がかかる。複数のＤ級増幅器には、レギュレータから安定した定電圧が与えられてオーディオパワー信号に生じる歪みが低減される。
【００１３】
本発明に係るデジタル増幅装置は、前記レギュレータは、前記複数のＤ級増幅器と１対１の関係で複数備えることを特徴とする。
【００１４】
本発明にあっては、電源部が出力する電源が、複数のレギュレータ夫々の入力端に入力され、複数のレギュレータ夫々を介して対応する複数のＤ級増幅器夫々に与えられる。複数のレギュレータ夫々は、対応する複数のＤ級増幅器夫々に電源として安定化された定電圧を出力する独立した仮想電源として機能し、電源共通インピーダンスによるノイズを低減する。
【００１５】
本発明に係るデジタル増幅装置は、前記複数のＤ級増幅器に設定される入力レベルを調整する入力調整部をさらに備え、前記レギュレータは、複数の位相補償回路と、前記入力調整部が調整した入力レベルに基づいて前記複数の位相補償回路のうち、一つの位相補償回路を選択する選択部とを備えることを特徴とする。
【００１６】
本発明にあっては、複数のＤ級増幅器に設定される入力レベルが入力調整部により調整される。複数のＤ級増幅器に設定される入力レベルによってレギュレータの出力側負荷が変化し、レギュレータは、入力レベルの調整に伴い変化した出力側負荷に対して安定した定電圧動作を行うべく、出力側負荷に応じた位相補償回路、すなわち調整された入力レベルに応じた位相補償回路を複数の位相補償回路から選択する。レギュレータを構成する負帰還回路と、選択された一つの位相補償回路は、電源部から与えられた電源を出力側負荷に適した位相補償を行って負帰還増幅することにより、安定した定電圧を複数のＤ級増幅器に与えてオーディオパワー信号に生じる歪みを抑制する。
【発明の効果】
【００１７】
本発明に係るデジタル増幅装置は、電源部の出力端及び複数のＤ級増幅器夫々の電源入力端の間に形成される電源共通インピーダンス中にレギュレータを介挿することにより、電源部及び複数のＤ級増幅器夫々の間の電源共通インピーダンスを分離して電源共通インピーダンスによるノイズを低減し、オーディオパワー信号に生じる歪みを抑制することが可能となる。
【発明を実施するための最良の形態】
【００１８】
実施の形態１
以下、本発明をその実施の形態を示す図面を参照して具体的に説明する。図１は、実施の形態１に係るデジタル増幅装置の内部構成の例を示すブロック図である。図１に示す例では、２チャンネルを有するオーディオ信号に対応して夫々のチャンネルのオーディオ信号が入力される第１入力端子及び第２入力端子と、第１入力端子及び第２入力端子から与えられたオーディオ信号を夫々スイッチング増幅してオーディオパワー信号に変換する第１Ｄ級増幅器３ａ及び第２Ｄ級増幅器３ｂと、第１Ｄ級増幅器３ａ及び第２Ｄ級増幅器３ｂが増幅して得たオーディオパワー信号夫々を外部に接続される図示しないスピーカ等に出力する第１出力端子及び第２出力端子とを備えている。
【００１９】
また、電源を出力する電源部１と、電源部１の出力端に電源線Ｌ１により並列接続されており、定電圧回路で構成された第１レギュレータ２ａ及び第２レギュレータ２ｂとを備えている。電源部１は、例えば電力損失が少なくできるため、高精度及び高効率であるスイッチング制御方式の電源等を用いると良い。第１レギュレータ２ａ及び第２レギュレータ２ｂの出力端は、夫々第１Ｄ級増幅器３ａ及び第２Ｄ級増幅器３ｂの入力端に接続されている。電源部１から出力された電源は、第１レギュレータ２ａ及び第２レギュレータ２ｂの入力端に与えられる。
【００２０】
第１レギュレータ２ａ及び第２レギュレータ２ｂは、出力電圧を入力側に帰還させて入力電圧を負帰還増幅することにより、電源部１から与えられる入力電圧の変動及び出力側に接続された第１Ｄ級増幅器３ａ及び第２Ｄ級増幅器３ｂ夫々の負荷変動に対して一定となるよう電源を制御して第１Ｄ級増幅器３ａ及び第２Ｄ級増幅器３ｂに夫々出力するよう構成されている。これにより、第１レギュレータ２ａ及び第２レギュレータ２ｂは、第１Ｄ級増幅器３ａ及び第２Ｄ級増幅器３ｂ夫々に電源として安定化された定電圧を出力する独立の仮想電源として機能する。
【００２１】
第１入力端子及び第２入力端子に入力されたオーディオ信号夫々は、第１Ｄ級増幅器３ａ及び第２Ｄ級増幅器３ｂに与えられる。第１レギュレータ２ａ及び第２レギュレータ２ｂ夫々を介して電源部１から電源を与えられた第１Ｄ級増幅器３ａ及び第２増幅器３ｂは、第１入力端子及び第２入力端子夫々から与えられたオーディオ信号をＰＷＭ（Pulse Width Modulation）等の変調方式により変調して変調信号を得る。第１Ｄ級増幅器３ａ及び第２増幅器３ｂ夫々は、得られた変調信号により電源をスイッチング制御してオーディオ信号を増幅し、オーディオパワー信号として第１出力端子及び第２出力端子に出力する。
【００２２】
第１出力端子及び第２出力端子夫々は、外部に設けられた第１チャンネル用及び第２チャンネル用のスピーカ（図示せず）にオーディオパワー信号を出力して再生音を放音させる。第１Ｄ級増幅器３ａ及び第２Ｄ級増幅器３ｂへ電源を与える給電線Ｐａ及びＰｂは、夫々独立しているため、第１Ｄ級増幅器３ａ及び第２Ｄ級増幅器３ｂとの間で電源共通インピーダンスを形成しない。すなわち、第１レギュレータ２ａ及び第２レギュレータ２ｂを構成する後述の負帰還増幅回路が有する高い入出力インピーダンスによって電源部１と、第１Ｄ級増幅器３ａ及び第２Ｄ級増幅器３ｂ夫々との間の電源共通インピーダンスが分離されている。
【００２３】
電源共通インピーダンスの分離により、第１Ｄ級増幅器３ａ及び第２Ｄ級増幅器３ｂ夫々の出力端における負荷変動が、給電線Ｐａ、Ｐｂに与えられている電源を変動させることがない。例えば、第１入力端子から第１Ｄ級増幅器３ａに与えられたオーディオ信号の振幅が大きく変動して第１Ｄ級増幅器３ａを流れる回路電流が大きく変動した場合、電源共通インピーダンスが分離されているため、第１Ｄ級増幅器３ａにおける回路電流の変動による給電線Ｐａにおける電位の変動が、第２Ｄ級増幅器３ｂに電源を与える給電線Ｐｂに伝わることがない。
【００２４】
図２は、実施の形態１に係る第１レギュレータ２ａ及び第２レギュレータ２ｂの例を示す回路図である。第１レギュレータ２ａ及び第２レギュレータ２ｂ夫々は、負帰還制御して定電圧を出力する負帰還増幅回路で構成されている。レギュレータの入力端となる入力端子は、ＦＥＴのドレインと、トランジスタＴｒ１及びＴｒ２のコレクタとに接続されている。トランジスタＴｒ１のエミッタは、抵抗Ｒ１を介してトランジスタＴｒ２のベースと接続されている。トランジスタＴｒ２のエミッタは、レギュレータの出力端となる出力端子と接続されている。ＦＥＴ（Field Effect Transistor）のソース及びゲートは一点で接続されて可変シャントレギュレータＳＲのカソードＫ及びトランジスタＴｒ１のベースに接続されている。可変シャントレギュレータＳＲのアノードＡは接地部ＧＮＤ１に接地されている。
【００２５】
トランジスタＴｒ２のエミッタには、出力端子と並列にコンデンサＣｐ及び抵抗Ｒ２が接続されており、抵抗Ｒ２は直列に接続された抵抗Ｒ３を介して接地部ＧＮＤ２に接地されている。また、コンデンサＣｐには、抵抗Ｒｐが直列に接続され、抵抗Ｒｐと抵抗Ｒ２及び抵抗Ｒ３の接続点とは、共に可変シャントレギュレータＳＲのレファレンスＲに接続されている。可変シャントレギュレータＳＲは、リファレンスＲに入力されるレファレンス電圧によってカソードＫの電圧が制御される素子である。また、ＦＥＴは、定電流源として機能する。コンデンサＣｐ及び抵抗Ｒｐは、負帰還増幅回路の発振を防止すると共に出力端子における出力電圧の瞬時の電圧変動に対して負帰還制御が高速に応答するよう設けられた位相補償ＣＲ回路をなす。
【００２６】
位相補償ＣＲ回路におけるコンデンサＣｐのコンデンサ容量及び抵抗Ｒｐの抵抗値は、負帰還増幅回路の位相補償定数を与え、出力端子側の負荷、すなわち第１Ｄ級増幅器３ａ及び第２Ｄ級増幅器３ｂを流れる回路電流及びオーディオ信号の周波数特性等に基づいて安定及び高速な負帰還制御が行われるよう予め経験的に選択すると良い。可変シャントレギュレータＳＲのリファレンスＲには、出力端子における出力電圧が抵抗Ｒ２及び抵抗Ｒ３により分圧されてリファレンス電圧として入力される。出力端子から出力される電圧の電圧値は予め設定されており、抵抗Ｒ２及び抵抗Ｒ３の抵抗比は、予め設定された出力電圧の電圧値及び可変シャントレギュレータＳＲが内蔵する基準電圧源（図示せず）が発生する基準電圧との比と略同一となるよう選択される。ここで、図２に示す回路図の例において出力電圧が一定となるよう制御する負帰還制御について説明する。
【００２７】
出力電圧が予め設定された電圧よりも高い場合、すなわち可変シャントレギュレータＳＲのリファレンスＲに入力されたリファレンス電圧が内蔵する基準電圧源が出力する基準電圧よりも高い場合、可変シャントレギュレータＳＲのカソードＫの電圧が低い状態になり、ＦＥＴのソースから出力される定電流がカソードＫ―アノードＡ間を流れる。可変シャントレギュレータＳＲのカソードＫ―アノードＡ間に流れる電流によりトランジスタＴｒ１のベース電流が減少するため、トランジスタＴｒ１のコレクタ―エミッタ間の電流が減少し、続いて抵抗Ｒ１を介してトランジスタＴｒ２のベースに印加されるベース電位が減少する。トランジスタＴｒ２のベース電位の減少により、トランジスタＴｒ２から出力される出力電圧が減少する。
【００２８】
また、出力電圧が予め設定された電圧よりも低い場合、すなわち可変シャントレギュレータＳＲのリファレンスＲに入力されたリファレンス電圧が内蔵する基準電圧源が出力する基準電圧よりも低い場合、可変シャントレギュレータＳＲのカソードＫの電圧が高い状態になり、ＦＥＴのソースから出力される定電流がカソードＫ―アノードＡ間を流れず、トランジスタＴｒ１のベース電流が増大する。これにより、トランジスタＴｒ１のコレクタ―エミッタ間の電流が増大し、続いて抵抗Ｒ１に接続されたトランジスタＴｒ２のベース電位が増加する。
【００２９】
トランジスタＴｒ２のベース電位の増加により、トランジスタＴｒ２から出力される出力電圧が増加する。以上に示した負帰還制御により、出力電圧が予め設定された出力電圧となるよう制御される。このシリーズレギュレータ回路が仮想電源となり、電源部１から第１Ｄ級増幅器３ａ及び第２Ｄ級増幅器３ｂに夫々電源を与える給電線Ｐａ及びＰｂに含まれる接地線による電源共通インピーダンスを分離する。
【００３０】
図３は、実施の形態１に係るオーディオパワー信号の周波数特性の例を示すグラフである。図３は、図２に示す回路図により構成された第１レギュレータ２ａ及び第２レギュレータ２ｂを備えるデジタル増幅装置に、図９に示す周波数特性を有するオーディオ信号を入力した場合、第１Ｄ級増幅器３ａから出力されるオーディオパワー信号の周波数１０Ｈｚから周波数１００ｋＨｚまでの周波数特性の測定結果を示している。図３に示すオーディオパワー信号の周波数１０ｋＨｚ付近の領域３ｄは、図９に示すオーディオ信号の領域９ａと略同一の信号強度分布を示しており、図１０の領域１０ａに示す従来技術におけるデジタル増幅装置が出力するオーディオパワー信号に生じた電源共通インピーダンスによる混調ノイズが発生していない。
【００３１】
本実施の形態１において２チャンネルのオーディオ信号が入力されるデジタル増幅装置を示したが、２チャンネルに限るものではなく、チャンネル数分の入力端子、Ｄ級増幅器及び出力端子を備えており２チャンネル以上のオーディオ信号が入力されるデジタル増幅装置であっても良い。複数のレギュレータは、複数のＤ級増幅器と１対１に対応するよう構成する場合が電源共通インピーダンスによるノイズを低減するために最も好ましいが、これに限るものではなく、複数のＤ級増幅器を夫々複数からなる複数のグループに分類し、各グループと１対１に対応するようレギュレータを設けても良い。また、第１レギュレータ２ａ及び第２レギュレータ２ｂを構成する負帰還増幅回路として示した図２の例は、公知の技術であり、これに限るものではなく、高い入出力インピーダンスを有しており、入力側の接地部と出力側の接地部が分離される定電圧回路であれば良い。
【００３２】
電源部１、第１レギュレータ２ａ、第２レギュレータ２ｂ、第１Ｄ級増幅器３ａ及び第２Ｄ級増幅器３ｂは、同一基板上に配置してデジタル増幅装置に実装する場合に限らず、電源部１が配置された電源基板と、第１Ｄ級増幅器３ａ及び第２Ｄ級増幅器３ｂが配置されたアンプ基板とに分離して実装しても良い。この場合、電源基板とアンプ基板とを接続する給電線によるノイズの発生を抑制すべく第１レギュレータ２ａ及び第２レギュレータ２ｂは第１Ｄ級増幅器３ａ及び第２Ｄ級増幅器３ｂが配置されたアンプ基板上に配置すると良い。
【００３３】
実施の形態２
図４は、実施の形態２に係るデジタル増幅装置の内部構成の例を示すブロック図である。本実施の形態２は、実施の形態１が第１レギュレータ２ａ及び第２レギュレータ２ｂの出力側負荷が軽負荷となる場合を含んでいるのに対して、出力側負荷が常に一定以上の負荷となるよう構成されている。図４に示す例では、実施の形態１に係るデジタル増幅装置の給電線Ｐａ及びＰｂ夫々に第１Ｄ級増幅器３ａ及び第２Ｄ級増幅器３ｂと並列に第１表示部５ａ及び第２表示部５ｂが各接続されている。
【００３４】
また、第１Ｄ級増幅器３ａ及び第２Ｄ級増幅器３ｂ夫々には、第１Ｄ級増幅器３ａ及び第２Ｄ級増幅器３ｂ夫々に設定されるオーディオ信号の入力レベルを調整する第１入力調整部（入力信号）４ａ及び第２入力調整部（入力信号）４ｂを備えている。第１Ｄ級増幅器３ａ及び第２Ｄ級増幅器３ｂ夫々には、予め設定された増幅率に固定されており、第１入力端子及び第２入力端子から第１Ｄ級増幅器３ａ及び第２Ｄ級増幅器３ｂ夫々に入力されるオーディオ信号の入力レベルを第１入力調整部（入力信号）４ａ及び第２入力調整部（入力信号）４ｂで調整することにより、第１出力端子及び第２出力端子を介して出力するオーディオパワー信号の出力レベルが調整可能に構成されている。
【００３５】
第１表示部５ａ及び第２表示部５ｂは、夫々ＤＣ−ＤＣコンバータ等からなる電圧変換回路と、電圧変換回路から与えられた電圧により点灯するＬＥＤ点灯回路とから構成されており、デジタル増幅装置が動作している間、常時一定以上の回路電流が流れることにより、一定以上の負荷を第１レギュレータ２ａ及び第２レギュレータ２ｂの出力側に与える負荷回路（負荷部）として機能する。第１レギュレータ２ａ及び第２レギュレータ２ｂの出力側負荷の主な負荷となる第１Ｄ級増幅器３ａ及び第２Ｄ級増幅器３ｂにおける回路電流は、第１入力調整部４ａ及び第２入力調整部４ｂ夫々により調整される入力レベルによって変化する。
【００３６】
第１レギュレータ２ａ及び第２レギュレータ２ｂの出力電流が小さい場合、すなわち出力側負荷が軽負荷となる場合、第１レギュレータ２ａ及び第２レギュレータ２ｂを構成する負帰還増幅回路における負帰還制御は、十分な負帰還がかからないために出力電圧の変動に対する速応性が劣化する。第１表示部５ａ及び第２表示部５ｂに流れる回路電流は、第１Ｄ級増幅器３ａ又は第２Ｄ級増幅器３ｂに小さな入力レベルが設定された場合であっても、第１表示部５ａ及び第２表示部５ｂを流れる回路電流により、第１レギュレータ２ａ及び第２レギュレータ２ｂの出力側負荷を常に一定以上にすることで軽負荷による速応性の劣化を防止する。
【００３７】
図５は、出力側負荷の異なる第１レギュレータ２ａの周波数特性の例を示すグラフである。周波数特性の横軸及び縦軸は、夫々周波数及びゲインを示す。図５は、図２に示した回路図で構成された第１レギュレータ２ａに電源が入力された場合の周波数特性を示している。周波数特性においてゲインが０となる周波数、すなわちゲイン交差周波数は、高い値を示す程、速応性が改善されていることを示す。図５（ａ）は、第１表示部５ａが接続されていない実施の形態１における第１レギュレータ２ａの周波数特性の測定結果を示しており、第１レギュレータ２ａの出力側負荷は第１Ｄ級増幅器３ａのみを流れる回路電流０．１Ａの軽負荷となっている。軽負荷における第１レギュレータ２ａの周波数特性は、ゲイン交差周波数７．６ｋＨｚを示している。
【００３８】
図５（ｂ）は、第１表示部５ａが接続された本実施の形態２における第１レギュレータ２ａの周波数特性の測定結果を示しており、第１レギュレータ２ａの出力側負荷は、通常負荷である第１Ｄ級増幅器３ａ及び通常負荷に対して小さい比率を有する負荷である第１表示部５ａを流れる回路電流の合計０．５Ａとなっている。通常負荷における第１レギュレータ２ａの周波数特性は、軽負荷におけるゲイン交差周波数７．６ｋＨｚよりも高いゲイン交差周波数４５．５ｋＨｚを示している。第１入力調整部４ａにより第１Ｄ級増幅器３ａに設定される入力レベルに関わらず、第１レギュレータ２ａの出力側負荷は、常に通常負荷と通常負荷に対して小さい比率を有する負荷とからなり、高いゲイン交差周波数が得られる。これにより、軽負荷による負帰還制御の速応性の劣化を防止して第１Ｄ級増幅器３ａ又は第２Ｄ級増幅器３ｂに安定した定電圧となる電源を与え、電源の変動によりオーディオパワー信号に生じる歪みを抑制する。
【００３９】
本実施の形態２においては、電圧変換回路及びＬＥＤ点灯回路からなる第１表示部５ａ及び第２表示部５ｂが負荷回路として機能する場合を示したが、これに限るものではなく第１Ｄ級増幅器３ａ及び第２Ｄ級増幅器３ｂが増幅動作を行っている間、常に一定以上の回路電流が流れて第１レギュレータ２ａ及び第２レギュレータ２ｂの出力側負荷が一定以上の負荷となる回路であれば良い。
【００４０】
本実施の形態２においては、第１Ｄ級増幅器３ａ及び第２Ｄ級増幅器３ｂ夫々に設定される入力レベルを独立して調整すべく第１入力調整部４ａ及び第２入力調整部４ｂを備える例を示したが、これに限るものではなく第１Ｄ級増幅器３ａ及び第２Ｄ級増幅器３ｂに略同一の入力レベルが設定され、係る入力レベルを調整すべく一つの入力調整部が備えられていても良い。また、第１レギュレータ２ａ及び第２レギュレータ２ｂ夫々に接続された第１表示部５ａ及び第２表示部５ｂを備える例を示したが、これに限るものではなく、第１レギュレータ２ａ及び第２レギュレータ２ｂに共有の負荷回路となる一つの表示部が備えられていても良い。
【００４１】
本実施の形態２は以上の如き構成としてあり、その他の構成及び作用は実施の形態１と同様であるので対応する部分には同一の参照番号を付してその詳細な説明を省略する。
【００４２】
実施の形態３
図６は、実施の形態３に係るデジタル増幅装置の内部構成の例を示すブロック図である。本実施の形態３は、実施の形態２がレギュレータの出力側負荷を常に一定以上の負荷とすることにより負帰還制御の速応性を改善するのに対して、レギュレータの出力側負荷に応じて位相補償定数の値を選択することにより、位相余裕を確保して負帰還制御の速応性を改善するよう構成されている。図中６ａ及び６ｂは、夫々複数の位相補償ＣＲ回路を備える第１レギュレータ及び第２レギュレータである。
【００４３】
また、デジタル増幅装置は、第１Ｄ級増幅器３ａ及び第２Ｄ級増幅器３ｂに設定する入力レベルを調整すると共に、調整した入力レベルに基づいて第１レギュレータ６ａ及び第２レギュレータ６ｂに設けられた複数の位相補償ＣＲ回路のうち一つに切替える切替信号を出力する第１入力調整部７ａ及び第２入力調整部７ｂを備える。第１入力調整部７ａ及び第２入力調整部７ｂは、回転部を有するロータリー型デジタルポテンショメータ及び切替信号出力回路からなり、ポテンショメータが検出した回転部の回転角度が第１Ｄ級増幅器３ａ及び第２Ｄ級増幅器３ｂに設定される入力レベルと対応付けられている。
【００４４】
ポテンショメータが検出した回転角度が右回りに増大するに従って第１Ｄ級増幅器３ａ及び第２Ｄ級増幅器３ｂに設定される入力レベルが増加するよう構成されている。また、切替信号出力回路には、切替信号を出力する閾値となる切替角度が予め設定されており、検出した回転角度が切替角度よりも小さい場合、すなわち第１Ｄ級増幅器３ａ及び第２Ｄ級増幅器３ｂに設定される入力レベルが、切替角度と対応する入力レベルよりも小さい場合、切替信号を第１レギュレータ６ａ及び第２レギュレータ６ｂに備えられた切替信号入力夫々に出力する。
【００４５】
図７は、実施の形態３に係る第１レギュレータ６ａ及び第２レギュレータ６ｂの例を示す回路図である。可変シャントレギュレータＳＲのリファレンスＲに、コンデンサＣｐ１及び抵抗Ｒｐ１からなる低入力レベル用の位相補償ＣＲ回路と、コンデンサＣｐ２及び抵抗Ｒｐ２からなる通常用の位相補償ＣＲ回路とが並列接続されており、夫々の位相補償ＣＲ回路は、切替スイッチＳＷを介して、いずれかが出力端子に接続されるよう構成されている。低入力レベル用及び通常用の位相補償ＣＲ回路におけるコンデンサＣｐ１及びＣｐ２のコンデンサ容量並びに抵抗Ｒｐ１及びＲｐ２の抵抗値は、低入力レベル及び通常の入力レベルが設定された第１Ｄ級増幅器３ａ及び第２Ｄ級増幅器３ｂを流れる回路電流及びオーディオ信号の周波数特性等に基づいて安定で高速な負帰還制御が行われるよう予め経験的に選択すると良い。
【００４６】
切替スイッチＳＷはＦＥＴ等で構成された電子スイッチであり、切替信号が切替信号入力に与えられない場合、通常用の位相補償ＣＲ回路を出力端子に接続し、切替信号を与えられた場合、低入力レベル用の位相補償ＣＲ回路が出力端子に接続されるよう切替える。第１入力調整部７ａ又は第２入力調整部７ｂに低入力レベルが設定されて第１レギュレータ６ａ及び第２レギュレータ６ｂの出力側負荷が軽負荷となった場合、低入力レベル用の位相補償ＣＲ回路に切替えられるため、出力側の負荷の大小に関わらず高速な負帰還制御に最適な位相補償が行われ周波数特性において高いゲイン交差周波数が得られる。これにより、軽負荷による負帰還制御の速応性の劣化を防止して第１Ｄ級増幅器３ａ又は第２Ｄ級増幅器３ｂに安定した定電圧となる電源を与え、電源の変動によりオーディオパワー信号に生じる歪みを抑制する。
【００４７】
本実施の形態３において第１レギュレータ６ａ及び第２レギュレータ６ｂは、低入力レベル用と通常用との２つの位相補償ＣＲ回路を備える場合を示したが、これに限るものではなく３つ以上の位相補償ＣＲ回路を備えても良い。この場合、第１入力調整部７ａ及び第２入力調整部７ｂは、複数の位相補償ＣＲ回路の個数分に対応した複数の切替角度が予め設定されており、複数の切替角度に応じて異なる識別情報を有する切替信号を出力するよう構成し、切替スイッチＳＷは、受付けた切替信号が有する識別情報に応じて複数の位相補償ＣＲ回路のうち一つに切替えるよう構成すると良い。
【００４８】
また、第１入力調整部７ａ及び第２入力調整部７ｂは、ロータリー型デジタルポテンショメータ及び切替信号出力回路からなる場合に限らず、デジタルオーディオ機器等で用いられる電子ボリューム及び制御マイコンを組み合わせたものでも良く、入力レベルを調整すると共に入力レベルの大小に応じて切替信号を出力するよう構成されておれば良い。
【００４９】
本実施の形態３は以上の如き構成としてあり、その他の構成及び作用は実施の形態１及び実施の形態２と同様であるので対応する部分には同一の参照番号を付してその詳細な説明を省略する。
【図面の簡単な説明】
【００５０】
【図１】実施の形態１に係るデジタル増幅装置の内部構成の例を示すブロック図である。
【図２】実施の形態１に係る第１レギュレータ及び第２レギュレータの例を示す回路図である。
【図３】実施の形態１に係るオーディオパワー信号の周波数特性の例を示すグラフである。
【図４】実施の形態２に係るデジタル増幅装置の内部構成の例を示すブロック図である。
【図５】出力側負荷の異なる第１レギュレータの周波数特性の例を示すグラフである。
【図６】実施の形態３に係るデジタル増幅装置の内部構成の例を示すブロック図である。
【図７】実施の形態３に係る第１レギュレータ及び第２レギュレータの例を示す回路図である。
【図８】従来技術におけるデジタル増幅装置の内部構成の例を示すブロック図である。
【図９】オーディオ信号の周波数特性の例を示すグラフである。
【図１０】従来技術におけるオーディオパワー信号の周波数特性の例を示すグラフである。
【符号の説明】
【００５１】
１  電源部
２ａ，６ａ  第１レギュレータ
２ｂ，６ｂ  第２レギュレータ
３ａ  第１Ｄ級増幅器
３ｂ  第２Ｄ級増幅器
４ａ，７ａ  第１入力調整部
４ｂ，７ｂ  第２入力調整部
５ａ  第１表示部
５ｂ  第２表示部
Ｌ１  電源線
Ｐａ、Ｐｂ  給電線
【図１】
2009206763.tif 000003
【図２】
2009206763.tif 000004
【図３】
2009206763.tif 000005
【図４】
2009206763.tif 000006
【図５】
2009206763.tif 000007
【図６】
2009206763.tif 000008
【図７】
2009206763.tif 000009
【図８】
2009206763.tif 000010
【図９】
2009206763.tif 000011
【図１０】
2009206763.tif 000012